Podtech/llm-jp-corpus-v4-ja_patent huggingface dataset:
(57)【要約】【課題】図面で現した様に従来の技術は、スノーボードの板とビンディングを留めるネジを外されてしまえば、ビンディングは守れても板は盗まれてしまう。  そこで、この発明は板とビンディングの両方を取り外されて盗まれる事の無い様にする事を課題とする。【解決手段】図３の様なスノーボードに、図１の盗難防止器具を図２の様に装着し、ワイヤーを伸ばして固定された場所に絡ませる事で課題を解決する。【選択図】図１
2007105083.tif 000002
【特許請求の範囲】
【請求項１】
スノーボードのビンディングのネジを、外されない様にカバーをする事によって、盗難を防ぐ事を特徴とする盗難防止器具。
【請求項２】
前記のカバーは、カバーの中にワイヤーを収納できる事を特徴とする盗難防止器具。
【発明の詳細な説明】
【技術分野】
【０００１】
この発明は、スノーボード等の盗難防止に関する。
【背景技術】
【０００２】
従来の技術は主に、図４の様にワイヤーを固定された場所と一緒にビンディングに絡ませて盗難を防ぐ器具や、特許文献１、特許文献２の様な器具である。
【特許文献１】特開２００３‐５２８２３５号公報
【特許文献２】登録実用新案第３０２５９８０号公報
【発明の開示】
【発明が解決しようとする課題】
【０００３】
しかしながら、以上の技術によれば図５の様にビンディングのネジを外させてしまえば、ビンディングは守れても板は盗まれてしまう。また、板を加工して設置する器具は、設置に時間が掛かりスノーボードを傷付けたくない人には嫌煙されるだろう。そこでこの発明は、スノーボードを加工する事無く、板とビンディングの両方を取り外されて盗まれる事の無い様にする事を課題とする。
【課題を解決するための手段】
【０００４】
以上の課題を解決するために、図３の様なスノーボードに図１の盗難防止器具を図２の様に装着し、図１のＣのワイヤーを伸ばして固定された場所に絡ませてから図１のＣを図１のＤと一緒にはめ込み、図１のＥの鍵穴に鍵を入れて閉める事で課題を解決する。
【発明の効果】
【０００５】
前記によって、スノーボードを加工する事無く、スノーボードの板とビンディングを留めるネジが取り外せない様になる事で、板とビンディングの両方を守る事が出来る盗難防止器具。
【発明を実施するための最良の形態】
【０００６】
この発明の実施形態を図１、図２に示す。
図１のＡのカバーは、ビンディングのネジの部分に、図２のＡの様に直接かぶせるため強度面及びカバーが捲り上げられる事の無い様に、材質はプラスチック等で出来ている。また、図１のＢは図２のＢの様に、ビンディングと板に装着されるため、柔らかくて強度が有るゴムか布製等である。
図１のＣは、市販で売られている様な収納可能なワイヤーと同じ様な形状である。
図１のＤ及びＥも、市販で売られている通勤鞄の鍵の様な形状である。
【実施形態の効果】
【０００７】
この実施形態によれば、図１、図２のＡのカバーは円形のプラスチック等で出来ているので、捲り上げられる事の無い様に出来ている。
図１、図２のＢのベルトは、ビンディング及び板を傷付けない様に強度が有るゴムか布製のため、ベルトを切られたり外され難くなっており、器具を外した後も折りたためられる事から、コンパクトに収納できる事も特徴の盗難防止器具である。
【図面の簡単な説明】
【０００８】
【図１】この発明の一実施形態を示す斜視図である。
【図２】この発明の一実施形態を示す斜視図である。
【図３】板及びビンディングのみを示す斜視図である。
【図４】従来の技術を示す斜視図である。
【図５】発明が解決しようとする課題を示す斜視図である。
【符号の説明】
【０００９】
Ａ  カバー    Ｂ  ベルト    Ｃ  ワイヤー    Ｄ  鍵    Ｅ  鍵穴    １  板    
２  ビンディング    ３  従来の盗難防止器具    ４  固定された場所    
５  板とビンディングを留めるネジ    ６  板のネジ穴
【図１】
2007105083.tif 000003
【図２】
2007105083.tif 000004
【図３】
2007105083.tif 000005
【図４】
2007105083.tif 000006
【図５】
2007105083.tif 000007
(57)【要約】【課題】味噌、納豆、醤油、煮豆等を製造する場合、大豆、黒豆等の豆類を煮、または蒸煮する。この際、豆から分離した汁液（いわゆる煮汁）が余ることがある。従来、この煮汁の利用法が乏しく、廃棄することが少なくなかった。【解決手段】本発明は、上記の豆の煮汁に、米麹、麦麹等の麹を加え、さらに食塩と水を加えて発酵、熟成させ、醤油を製造するものである。醗酵、熟成を促進するため、醤油乳酸菌、醤油酵母菌を加えてもよい。これによって、廃棄物「豆の煮汁」を、市場的価値が高い「醤油」に転化し、有効利用する。【特許請求の範囲】
【請求項１】
大豆、黒豆等の豆類を煮、または蒸煮したとき豆から分離する液汁（いわゆる煮汁）に、米麹、麦麹等の麹、食塩および水、必要ならば醗酵を促進するための醤油乳酸菌、醤油酵母を加えることによって、醤油を醸造する製法。
【発明の詳細な説明】
【技術分野】
【０００１】  本発明は、豆を煮、または蒸煮したとき、豆から分離した液汁（以下、煮汁という）を原料として醤油を醸造する製法に関する。【０００２】  味噌、納豆、醤油、煮豆等は、大豆、黒豆等の豆類を煮、または蒸煮して製造する。この際、煮汁が余ることが少なくない。【０００３】  この煮汁に米麹、麦麹等の麹、食塩、水を加え、醗酵、熟成させることによって、白醤油または淡口醤油に類似した薄味淡色の醤油を製造する。
この際、発酵、熟成を促進するため、醤油乳酸菌、醤油酵母菌を加えてもよい。
【発明の開示】
【発明が解決しようとする課題】
【０００４】  これまで、豆の煮汁は利用法が乏しく、廃棄することが少なくなかった。
【課題を解決するための手段】
【０００５】  豆の煮汁を原料として醤油を醸造することによって、煮汁を廃棄することなく、有効に利用する。
【発明の効果】
【０００６】  廃棄される豆の煮汁を、市場価値が高い醤油に転化できる。
【実施例】
【０００７】  小規模な試醸例は下記のとおりである。
ただし、大規模な設備装置等を使用する場合や、嗜好の動向によって、原料の配合、処理する時間等は、適切に対応する。
（１）乾燥した大豆５００ｍｌを、１２時間水に浸した後、水を加え４時間煮沸した。
原料は大豆に限らず、黒豆等の豆類でよい。豆類を混合してもよい。
（２）煮汁と煮豆とを分離した。煮汁は４９０ｍｌだった。煮豆は本試醸に使用しない。
（３）前項の煮汁に、水１，２６０ｍｌを加え、食塩６２５ｍｌ（３９０ｇ）を溶解した。
この溶液を沸騰させて殺菌した。
（４）前項の溶液を３０℃に冷却し、米麹（市販品）６２５ｍｌ（３９０ｇ）を加え、攪拌して醤油もろみに仕込んだ。
米麹でなく麦麹でもよい。菌は、醤油醸造に通常使われる「アスペルギルス・オリゼー（Ａｓｐｅｒｇｉｌｌｕｓ  ｏｒｙｚａｅ）」（麹菌）等でよい。
（５）本試醸における原料の容積比は、食塩を基準とし、これを１００とすれば、以下のとおりである。
「大豆の煮汁」７８：「水」２０２：「米麹」１００：「食塩」１００
（６）品温は１８〜２５℃に保った。温暖時は常温でよい。
（７）仕込み後３日間は、もろみを１日３回攪拌した。その後は１日１回攪拌した。
（８）仕込んでから３０日経過したとき、本試醸において、もろみは熟成した。
（９）もろみを搾り、生揚醤油を得た。これを木綿布で漉して清澄化し生醤油にした。
（１０）前項の生醤油を、９０℃で３０分加熱し、火入れした。これを濾紙で濾過し、醤油１，１６０ｍｌを完成した。
（１１）完成した醤油は、薄味、淡色、くせがない香りが特徴で、市販の「白醤油」に類似していた。
原料の豆の比率や質などを変えることによって、味、色、香りを濃くも淡くも調整できる。たとえば黒豆を原料にすると色が濃くなる。食塩の比率を変えることによって塩分も調整できる。
【産業上の利用可能性】
【０００８】現在市販されている白醤油および淡口醤油は、料理飲食店や一般家庭において、だし、吸いもの、ラーメン、うどん、おでん、煮もの、かやくめし、茶碗むしなどの料理に、巾広く使用されている。さらに、あられ、おかき、せんべい等の米菓をはじめとする各種の食品製造に利用されている。【０００９】  本発明によって、廃棄物「豆の煮汁」を利用し、低廉な価格で白醤油または淡口醤油に類似した醤油を生産し、市場に供給することができる。
(57)【要約】【課題】押出成型加工法のスタート時、樹脂交換時、機器調整時の連続溶融樹脂たれ流し固化物の処理法として、現在はダイスの下で大きな不定形の塊として存在しており、その処理法としては、専門業者が引き取り専用の粉砕機か溶解機で再処理するのが普通である。しかし、大きさ、色、形状、樹脂の種類が様々であり、且つ突起状の物もあり取り扱いが不便、不安全であり、空間容積も悪く問題となっている。【解決手段】連続的にたれ流れる溶融樹脂の下に切り欠き枠で組み立てた受け箱を置き、冷却固化した後枠を解体する事により、安全な作業で簡単に目的に適合した大きさの樹脂片を得る事が出来た。【選択図】  図１
2007105974.tif 000002
【特許請求の範囲】
【請求項１】
熱可塑性溶融樹脂をダイスから押し出してコーティングやシ−ト成形の際、樹脂交換や調整時に連続時にたれ流しされた樹脂を底部が型枠板と固着されておらず、切欠き枠板で構成される型枠箱を使用し溶融樹脂を分割させ、冷却固化させる事を特徴とする溶融樹脂処理法。
【発明の詳細な説明】
【技術分野】
【０００１】
本発明は、熱可塑性樹脂をダイスから押し出しコーティングやシート成形の際、新規の機器、一部改造時か停止していた機器のスタート、樹脂交換や調整時に連続的にたれ流しされた樹脂を扱い易い大きさに分割する方法に関する。
【背景技術】
【０００２】
新規に押出成型機をスタートさせる場合等で押出機やダイスの内部洗浄した樹脂は従来、ダイスの下で床上にたれ流し冷却固化され、数ｋｇか１００ｋｇの不定形の大きな樹脂の塊として成っており、これは専用の処理業者が粉砕機か溶融機等で再処理されているのが現状である。、
【特許文献１】特公開２０００−２３７７１６，特公開平０８―３３８３７４
【発明の開示】
【発明が解決しようとする課題】
【０００３】
押出成形の際、新規スタートや樹脂交換、調整時に連続してたれ流しされた樹脂は、ダイスの下でどくろを巻いた不定形の大きな樹脂の塊となっており、その取り扱いが大きな問題になっているのが現状である。
【課題を解決するための手段】
【０００４】
これらの問題点を解決する方法として、発明者等は実験を含む検討を行い連続的にたれ流れる溶融樹脂の下に、ダイスからのたれ流れる溶融樹脂を相当量受け入れる事が出来る大きさの多数の小間を持つ、切り欠き枠板より構成され底部板と固着されていない受け箱を置き、流下してくる溶融樹脂を分割しながら受け入れる。流下後水を掛けて冷却固化させ枠板を解体すると、枠板の小間にある荷扱いの良いサイズの固形樹脂が得られる。
【発明の効果】
【０００５】
押出成形における樹脂変えや調整時における連続的にたれ流しされる樹脂は、１）数ｋｇ―１００ｋｇと重さや大きさが色々である。２）ダイスから吐出した樹脂の為、突起物等があり、置き場所、コンテナ等への空間効率が悪い。等の問題を本発明により解決する。即ち、受け箱の切り欠き枠の選択により、目的に応じた適当な大きさに選定する事が出来、作業が安全となり、空間効率が向上して、置き場所等の安全と美観が図れる。
本法はポリオレフィン系、ポリスチレン等のみならず、ポリアミド、ポリカーボネート、ポリエチレンテレフタレート等の熱可塑性樹脂にも適用する事が出来る。
【発明を実施するための最良の形態】
【０００６】
本発明を実施するには、図２に示した様な切り欠き枠よりなる型枠を組み立て、これを必要なら固着していない底部の板と共に図１に示す様に溶融樹脂がたれ流しされているダイスの下に置く。枠が構成する小間はその後の目的に応じて適切なサイズとして、切り欠き枠の材質は鉄、アルミ、等の金属が好ましくその表面に離型剤を塗布したり、枠を弗素樹脂コート等の固着した樹脂の剥離を容易にする事が好ましい。底板は枠に固着していない方が樹脂の取り出し工程が容易となる。
【実施例１】
【０００７】
ポリオレフィン系樹脂の押し出コーテイング加工において、樹脂交換時の連続たれ流し溶融樹脂の処理法として本発明による切り欠き枠の受け箱を使用した所、作業が非常に安全で効率良く実施する事ができた。
【図面の簡単な説明】
【０００８】
【図１】本発明の概念図である。
【図２】切り欠き型枠の組立図である。
【図３】切り欠き枠
【符号の説明】
【０００９】
１  押出機        
２  ダイス
３  たれ流しされている溶融樹脂膜
４  溶融樹脂受け箱
５  切り欠き枠で組み立てた溶融樹脂受け箱
６  切り欠き枠（横）
７  切り欠き枠（縦）
【図１】
2007105974.tif 000003
【図２】
2007105974.tif 000004
【図３】
2007105974.tif 000005
(57)【要約】      （修正有）【課題】身体に接触する面はタオルやガーゼのような吸水性の高い面であり、尿や経血などを吸収するが、別の面は防水性で汚れを周囲に拡大させない身体巻き布の提供。【解決手段】縫合式、着脱式、あるいは表面加工等により、吸水面と防水面を合わせもち、あるいはさらに保温面、装飾面などの異なる機能をもつ面を付加した多機能な布を本体とし、かつ上端にゴム素材等を用いて身体へのほど良い密着性を高めること、および、スナップや面ファスナーで容易に着脱できること、股下にめくれ防止スナップを取り付けた。【選択図】  図１
2007105444.tif 000002
【特許請求の範囲】
【請求項１】
縫合式、着脱式、あるいは表面加工等により、吸水面と防水面を合わせもち、あるいはさらに異なる機能をもつ面を付加した多機能な布を本体とし、かつ上端にゴム素材等を用いて身体へのほど良い密着性を高めること、および、スナップや面ファスナーで容易に着脱できること、股下にめくれ防止スナップを有することなどを特徴とするところの身体に巻いて使用する布であること
【発明の詳細な説明】
【技術分野】
【０００１】  この発明は子供寝装品、介護・生理用品、生活雑貨、防寒・雨具の材質と形状に関する
【背景技術】
【０００２】  従来技術１子供の夜尿時や介護における尿もれは防水シーツを敷く、オムツを当てるなどして対応している。従来技術２生理時の就寝には生理用紙製品にて対応している。
【発明の開示】
【発明が解決しようとする課題】
【０００３】  上記従来技術１の場合、シーツが濡れると接触する上掛けふとんや毛布などにも毛細管現象によって汚染が拡大し、多量の大きな洗濯物を生じうる。また、気化熱が奪われて寝冷え、風邪の原因となりうる。横に寝る者までも汚染されるおそれがある。入院時にはシーツ交換となり、同室の患者にそそうしたことがわかってしまう。修学旅行時などもまわりに夜尿がわかってしまう。
上記従来技術２の場合、生理がいつ始まるか予測できない場合（初潮前、婦人科疾患による不正出血、生理不順）には装着時期が予測できない。また、生理用品では対応困難なほどの月経過多の場合や出産前の破水時や産褥期の出血などには防水シーツを併用していても現状１と同様の問題が生じうる。
【課題を解決するための手段】
【０００４】  以上の課題を解決するため、この発明は縫合式、着脱式、あるいは表面加工等により、防水面と吸水面あるいはさらに保温面、装飾面などの異なる機能を合わせもつ多機能な布を本体に使用し、かつ上端にゴム素材等を用いて身体への密着性を高めること、および、スナップや面ファスナーで容易に着脱できること、股下にめくれ防止スナップを有することなどを特徴とするところの身体に巻いて使用する布である。
【発明の効果】
【０００５】  この発明によれば、たとえば身体に接触する面はタオルやガーゼのような吸水性の高い面であり、尿や経血などを吸収するが、別の面は防水性で汚れを周囲に拡大させない。【０００６】  この発明の一実施形態を図１に示す。
この発明は図面記号１の巻布本体を内側にタオルやガーゼなどの吸水性の高い面をもち他面（中間面あるいは部分的裏側または表面）に防水面をもつものとし、図面記号２の巻布上端はゴムなどを用いて身体へのほど良い密着性を高め、かつ図面記号３の巻布着脱部はスナップや面ファスナーなど着脱動作が簡易なものを用いたものである。さらに図面記号４のめくれ防止スナップにより就寝時の本品のめくれ上がりを防止する。【０００７】「実施形態の効果」
この実施形態によれば、子供の夜尿や大人用オムツや生理用品からのもれによる汚れが他の寝具等を汚染しにくいので大きな洗濯物を増やさない。本人が着用したまま移動でき、こっそりと処理しやすいので周囲に気付かれにくい。気化熱による身体の冷えが軽減される。防水シーツよりも小さく気軽に使用でき、心理的抵抗感も少ない。また、下半身のもれとは関係なく、単に寝冷え防止の寝具としても、女性の冷え防止グッズや屋外での簡易防寒具、簡易雨具、防災用品としても役立てることが可能である。【０００８】「他の実施形態」
防水面を中間層にし、表面のもつ特徴を多様化することで、利用される範囲が拡大すると考えられる。たとえば、目立たないよう表面をパジャマととも布にするとが、薄くしてスカートの下にペチコートのように着用するとか、膝掛けのように見える生地にするとか防臭面にするなどの応用で、赤ちゃんのおくるみ様のものから車椅子利用者、会議や運転や事務で長時間座る人のの膝掛けにも。冷える職場で立ち働く人のエプロンにも。スポ−ツ感染観戦時の防寒にも。また、長さを変えて腹巻きにしたり、コートの下に着用すれば動きやすく温かくできる。あるいは断熱や反射、夜光機能を付加すれば防災用品に、着脱式の防水面を表面にして簡易雨具にと巻布の可能性をひろげる多様な形態が考えられる。
【図面の簡単な説明】
【０００９】
【図１】この発明の一実施形態を示すものである。
【図２】従来技術１を示すものである。
【符号の説明】
【００１０】１巻布本体        ２巻布上端
３巻布着脱部      ４めくれ防止スナップ
【図１】
2007105444.tif 000003
【図２】
2007105444.tif 000004
(57)【要約】【課題】本発明は、複数のロールペーパーを収納して順次使用するペーパーホルダーの前に備えられるペーパーカッターに関するものである。通常はペーパーの巻き方向を同一にして収納するが反対向きに入れるとペーパーのカットが不便なため入れ直す必要があるため、両方向に対応して使用出きるペーパーカッターを提供する。【解決手段】角柱状のスペア付ペーパーホルダー１の下部前面にペーパー引出口２と台座３を設け、弾性部材５とカッター６をカバー４の先端に併設して台座３に載せ、カバー４後部両端をペーパー引出口２の上部両端に支持する。【選択図】図１
2007105446.tif 000002
【特許請求の範囲】
【請求項１】
スペア付ペーパーホルダーのペーパー引出口に設けた台座上に弾性部材とカッターを前部先端に併設して成るカバーを載せ、後部両端をペーパー引出口の上部両端に支持して成るペーパーカッター。
【発明の詳細な説明】
【技術分野】
【０００１】  本発明は複数のロールペーパーが収納可能なペーパーホルダーのカッターに関する。
【背景技術】
【０００２】  従来のロールペーパーのカッターは、ロールペーパーの紙芯に芯棒を通して両側面のカバーに支持し、刃付カバーを直接ペーパーにのせ後部両端を両側面カバーに支持してある。
【発明の開示】
【発明が解決しようとする課題】
【０００３】  スペア付ペーパーホルダーは複数のペーパーを収納するため、ペーパーの先端を切り巻き方向を同一にするため手間がかかり又、反対向きに入れた時は使用に不便なので入れ直す必要がある。本発明は以上の問題点を解決するためになされたものである。
【課題を解決するための手段】
【０００４】  本発明は角柱状のスペア付ペーパーホルダーの下部前面にペーパー引出口と台座を設け、弾性部材とカッターをカバー先端に併設してのせ、カバー後部両端をペーパー引出口の上部両端に支持して成るペーパーカッターを提供することで上記課題を解決する。
【発明の効果】
【０００５】  ロールペーパーを台座上に引出してカットするので、ペーパー収納時の巻き方向を同一にするわずらわしさを解消できる。又カット後の台座上のペーパーは弾性部材とカッターの圧力で押えられるため逆もどりせず次の使用に備えられる。
【発明を実施するための最良の形態】
【０００６】  本発明のスペア付ペーパーホルダーのペーパーカッターは、図１に示されるようにスペア付ペーパーホルダー１の前面にペーパー引出口２と台座３を設け、その上に弾性部材５とカッター６を併設したカバー４を載せ、後部両端をペーパー引出口２の上部両端に支持して成る構造で、本発明を使用する時はペーパー引出口２のカバー４を上げペーパーの先端を掴み台座３上に引き出し、カバー４を下ろしカッター６部を押えてカットする。
【図面の簡単な説明】
【０００７】
【図１】本発明に係るスペア付ペーパーホルダーにペーパーカッターを設けた状態の概観図である。
【図２】弾性部材とカッターを先端部に設けたカバーの斜視図である。
【符号の説明】
【０００８】１  スペア付ペーパーホルダー
２  ペーパー引出口
３  台座
４  カバー
５  弾性部材
６  カッター
【図１】
2007105446.tif 000003
【図２】
2007105446.tif 000004
(57)【要約】【課題】座って使用する座敷机と椅子に腰掛けて使用する食卓テーブルの二通りの使い方が出来るようにした高低変更自在テーブルを提供する。【解決手段】天板（１）を支える４本のテーブル折脚（２）の上方より座敷机折脚（３）の太さの分だけ下がった位置で取り付けたときに外側になる部分に埋め込み式の蝶番（４）にて連なる座敷机折脚（３）を設けたテーブル折脚（２）を、テーブル折脚（２）を取り付けたときに外側になる部分に埋め込み式で蝶番（４）にて天板（１）下部に４本をそれぞれ設けたことを特徴とする高低変更自在テーブル。【選択図】図１
2007105443.tif 000002
【特許請求の範囲】
【請求項１】
天板（１）を支える４本のテーブル折脚（２）の上方より座敷机折脚（３）の太さの分だけ下がった位置で取り付けたときに外側になる部分に埋め込み式の蝶番（４）にて連なる座敷机折脚（３）を設けたテーブル折脚（２）を、テーブル折脚（２）を取り付けたときに外側になる部分に埋め込み式で蝶番（４）にて天板（１）下部に４本をそれぞれ設けたことを特徴とする高低変更自在テーブル。
【発明の詳細な説明】
【技術分野】
【０００１】  本発明はテーブルに関するものである。詳しくは座って使用する座敷机と椅子に腰掛けて使用する食卓テーブルの二通りの使い方が出来るようにした高低変更自在テーブルに関する。
【背景技術】
【０００２】  従来座って使用する座敷机と、椅子に腰掛けて使用する食卓テーブルは全く別のもので、当然のことながら座敷机は座敷机、食卓テーブルは食卓テーブルと別々に購入し使用方法も全く別のものであった。
【発明の開示】
【発明が解決しようとする課題】
【０００３】  咋今の住宅事情は、核家族化が進み家もこじんまりした家が増えており、収納スペースは限られているにもかかわらず、必要なものや欲しいものはどんどん増えてきているのが現状である。従ってスペースをとる食卓テーブルや座敷机等の大きな家財道具は可能な限り減らしたいというのが一般的な家庭の特に主婦の要望であった。【０００４】  本発明は上記問題点を鑑みてなされたものである。すなわち食卓テーブルと座敷机と言う従来は全く別のものであったものを、その両者を合体させて食卓テーブルと座敷机を兼用出来る、従来は存在しえなかった高低変更自在テーブルを提供し、その結果限られた住宅の収納スペースを有効利用できることを目的とする。同様な目的で作られたテーブル家具（特許文献１参照）なども出願されているが構造が複雑で使い勝手もあまりよくなかった。【０００５】
【特許文献１】公開番号：特許公開２００１−８７０４０    公開日：２００１年４月３日            出願番号：特許出願平１１−２７３１００    出願日：１９９９年９月２７日          出願人  ：株式会社  ヒラシマ              発明者：平島  真治                    発明の名称：テーブル家具
【課題を解決するための手段】
【０００６】  上記課題を解決するために、本発明では下記の手段を講じた。天板（１）を支える４本のテーブル折脚（２）の上方より座敷机折脚（３）の太さの分だけ下がった位置で取り付けたときに外側になる部分に埋め込み式の蝶番（４）にて連なる座敷机折脚（３）を設けたテーブル折脚（２）を、テーブル折脚（２）を取り付けたときに外側になる部分に埋め込み式で蝶番（４）にて天板（１）下部に４本をそれぞれ設ける。
【発明の効果】
【０００７】  本発明を利用すれば、当然のことながら食卓テーブルと座敷机という全く別の２つの種類のものを購入する費用に比べれば、１つだけを購入するだけでことが足りる事になり購入費用も安くなる。又、従来食卓テーブルは食卓テーブル、座敷机は座敷机と各々別々に購入し、別々に使用していたものを本発明品１つを購入するだけで２種類の使い方が出来ることになり、それまでは不使用時には倉庫や物置に保管しなければならなかったが、それが不要になりその分の保管スペースが他のものに使用出来るようになり場所の有効利用が可能になる。
【発明を実施するための最良の形態】
【０００８】  以下に本発明を実施するための最良の形態について詳しく説明する。
（イ）テーブル折脚（２）の上方より座敷机折脚（３）の太さの分だけ下がった位置に最上部が来るようにして、取り付けたときに外側になる部分と座敷机折脚（３）を埋め込み式の蝶番（４）にて連結させる。
（ロ）（イ）で設けた座敷机折脚（３）が取り付けたときに外側になるようにテーブル折脚（２）と、食卓テーブルと座敷机の共用になる天板（１）を埋め込み式の蝶番（４）にて連結させる。
（ハ）残り３本のテーブル折脚（２）も上記と同様に天板（１）に取り付ける。
本発明は以上の構成よりなる高低変更自在テーブルで、座敷机折脚（３）の取り付け位置を座敷机折脚（３）の太さの分だけ上方から下げたことにより蝶番（４）を広げた状態にして座敷机として使用したときに座敷机折脚（３）が最大限外よりになり安定がよくなる。又蝶番（４）を埋め込み式にしたことにより折り曲げたときの座敷机折脚（３）とテーブル折脚（２）、及びテーブル折脚（２）と天板（１）のそれぞれの密着性がよくなる。
【実施例】
【０００９】  これを食卓テーブルとして使用する時は、それぞれの座敷机折脚（３）を蝶番（４）が閉じた状態つまり折脚をたたんだ状態にして４本のテーブル折脚（２）を蝶番（４）が開いた状態つまり折脚を伸ばした状態にして使用する。【００１０】  これを座敷机として使用する時は、４本のテーブル折脚（２）を全部たたんだ状態にしてそれぞれの座敷机折脚（３）の蝶番（４）を広げた状態にして使用する。
【図面の簡単な説明】
【００１１】
【図１】      本発明の高低変更自在テーブルの斜視図
【図２】      本発明の高低変更自在テーブルの食卓テーブルとしての使用例を示す正面図
【図３】      本発明の高低変更自在テーブルの座敷机としての使用例を示す正面図
【符号の説明】
【００１２】      （１）      天板
（２）      テーブル折脚
（３）      座敷机折脚
（４）      蝶番
【図１】
2007105443.tif 000003
【図２】
2007105443.tif 000004
【図３】
2007105443.tif 000005
(57)【要約】      （修正有）【課題】階段を上がる時に安全に歩行出来る松葉杖を提供すること。【解決手段】  松葉杖１下端の接地面の上部進行方向面に階段受け具２を設け、該階段受け具２を階段の踏面先端に掛けて階段を上がるものとした階段受け具付き松葉杖１を構成しており、松葉杖を八の字に使用することなく垂直に出来る。また、階段受け具２は開閉自在にすることによって使用しない時には閉じるように構成しているため、突起部が見えないので外観上スッキリする。【選択図】図３
2007105454.tif 000002
【特許請求の範囲】
【請求項１】
松葉杖下端の接地面の上部進行方向面に階段受け具を設け、該階段受け具を階段の踏面先端に掛けて階段を上がるものとした階段受け具付き松葉杖。
【請求項２】
階段受け具を可動式とし開閉自在にすることの出来る請求項１の階段受け具付き松葉杖。
【発明の詳細な説明】
【技術分野】
【０００１】本発明は階段受け具付き松葉杖に関する。
【背景技術】
【０００２】従来松葉杖を使用して階段を上がる時には松葉杖を八の字に斜めにして用いるため松葉杖が滑りやすく不安定となり安全上問題があった。【０００３】従来技術として、（考案の名称：木製松葉杖）が提案されているが難点として、階段を上がる時には松葉杖の長さを短くするのに螺子式調整のため二本の松葉杖を同じ長さにするには時間がかかり実用的ではない。
【特許文献１】実用新案公開平５−６５３２７
【０００４】従来技術として、（考案の名称：長さを容易に調節できる松葉杖）が提案されているが難点として、長さ調節部の杖に欠き込みを入れるため杖の強度が低下するため太い杖が必要となり、よって松葉杖が重くなってしまうものとなる。
【特許文献２】登録実用新案第３０４１６１５
【発明の開示】
【発明が解決しようとする課題】
【０００５】本発明は以上のような従来の欠点に鑑み、松葉杖を使用して階段を上がる時に安全に利用できる松葉杖を提供することを目的としている。【０００６】本発明の前記ならびにその他の目的と新規な特徴は次の説明を添付図面と照らし合わせて読むと、より完全に明らかになるであろう。ただし、図面はもっぱら解説のためのものであって、本発明の記述的範囲を限定するものではない。
【課題を解決するための手段】
【０００７】上記目的を達成するために本発明は、松葉杖下端の接地面の上部進行方向に階段受け具を設け、該階段受け具に掛けて階段を上がるものとした階段受け具付き松葉杖を構成している。【０００８】階段受け具を可動式とし開閉自在にすることの出来る（０００７）記載の階段受け具付き松葉杖を構成している。
【発明の効果】
【０００９】  以上の説明から明らかなように、本発明にあっては次に列挙する効果が得られる。
（１）請求項１の構成により松葉杖の接地面を階段端部に掛けることが出来るので松葉杖を八の字にして使用することなく垂直に出来るので滑ることがなく安全に階段を上がることが出来る。【００１０】（２）請求項２の構成により使用しない時には閉じるものとすることで（１）の作用効果の他に突起部は見えないので外観上スッキリする。
【発明を実施するための最良の形態】
【００１１】以下、図面に示す発明を実施するための最良の形態により本発明を詳細に説明する。【００１２】図２、図３は本発明を実施するための最良の第１の形態において、階段受け具の材質は強度のあるものなら何でもよく、木製や鋼製や合成樹脂材等があり接地面は滑り難いものが好ましく弾性体などの衝撃吸収材を付け凹凸状とし、その取り付け位置は階段の蹴上げ寸法よりも短く設定する。【００１３】図４、図５、図６は本発明を実施するための第２の形態において、前記本発明を実施するための最良の第１の形態と主に異なる点は階段受け具を開閉自在にした点で階段の昇降時に開きそれ以外は閉じて使用するものでこのように形成しても前記本発明を実施するための最良の第１の形態と同様な作用効果が得られる。【００１４】図６において、脱着開閉金具の可動受け具外し用突き当て部を階段蹴上げ面に軽く当てることによりロックが解除され可動受け具が開き閉じるには手で押さえるものとする。
【産業上の利用可能性】
【００１５】  本発明は松葉杖を製造する産業で利用される。
【図面の簡単な説明】
【００１６】
【図１】従来の松葉杖と階段受け具付き松葉杖を使用した時の比較図。
【図２】本発明を実施するための最良の第１の形態の階段固定式受け具図。
【図３】本発明を実施するための最良の第１の形態の階段固定式受け具のパイプ型タイプ図。
【図４】本発明を実施するための第２の形態の可動式の階段受け具の断面図。
【図５】本発明を実施するための第２の形態の可動式の階段受け具の分解図。
【図６】本発明を実施するための第２の形態の可動式の階段受け具の脱着金具の詳細図。
【符号の説明】
【００１７】１：階段受け具付き松葉杖、  ２：階段固定式受け具、  ３：可動式階段受け具、  ４：可動受け具、  ５：脱着開閉金具、  ６：杖足部固定具、  ７：可動受け具止め部、  ８：可動受け具外し用突き当て部、  ９：可動受け具開き用スプリング、  １０：脱着開閉用スプリング、  １１：脱着開閉金具用開口部、  １２：固定具、  １３：スプリング受け具、  １４：滑り止め具、  １５：アーム、  １６：開き止め接続補強部、  １７：開閉支持金具部。
【図１】
2007105454.tif 000003
【図２】
2007105454.tif 000004
【図３】
2007105454.tif 000005
【図４】
2007105454.tif 000006
【図５】
2007105454.tif 000007
【図６】
2007105454.tif 000008
(57)【要約】【課題】    睡眠や横たわった姿勢で休息する場合に使用される枕は、其の使い心地や使い勝手が重要な要素であることから、健康枕・安眠枕などとして形状や機能に関する様々な提案がなされているが、例えば遠赤外線や、ある種の低線量放射線やマイナスイオンなどによる生体刺激作用を利用する枕においては、高価な素材を特別な加工して用いており、素材の供給量やコストの面で問題がある。【解決手段】    本発明は遠赤外線や、その他の低線量放射線を放射する素材として、安価でかつ大量に入手可能な溶岩を砕いて、溶岩砕片を素材とした枕を提供する。【選択図】          図１
2007105428.tif 000002
【特許請求の範囲】
【請求項１】
開閉自在な袋状枕カバーの中に、布製の袋に直径約６ｍｍ程度の大きさに破砕した溶岩砕片を充填した包装体を収納したことを特徴とする健康枕。
【請求項２】
開閉自在な袋状枕カバーの中に、布製の袋に直径約６ｍｍ程度の大きさに破砕した溶岩砕片と、そば殻や発泡ウレタンなどの緩衝材とを混ぜて充填した包装体を収納したことを特徴とする健康枕。
【発明の詳細な説明】
【技術分野】
【０００１】本発明は溶岩の特性を利用した健康枕に関するものである。
【背景技術】
【０００２】
【特許文献１】特開２００４−３０５４４３号公報
【特許文献２】特開２００５−１３９０５９号公報
【発明の開示】
【発明が解決しようとする課題】
【０００３】睡眠や横たわった姿勢で休息する場合に使用される枕は、其の使い心地や使い勝手が重要な要素であることから、健康枕・安眠枕などとして形状や機能に関する様々な提案がなされている。
しかしながら、例えば特許文献１・特許文献２のように遠赤外線や、ある種の低線量放射線やマイナスイオンなどによる生体刺激作用を利用する枕においては、高価な素材を特別な加工をして用いており、素材の供給量やコストの面で問題がある。
【課題を解決するための手段】
【０００４】上記課題を解決するために、本発明は遠赤外線や、その他の低線量放射線を放射する低線量放射能を持つ溶岩を砕いた溶岩砕片を素材とした枕を提供するものである。
【発明の効果】
【０００５】溶岩は一般に遠赤外線や微量の放射線を放射する放射能があるとされている、このような特性を持つ溶岩を砕いた砕片を枕の材料として用いれば、遠赤外線や微量放射線の作用により血行が促進され、肩こりの解消や精神安定効果により安眠や安らぎに寄与し、健康促進が期待できる。更に噴火の沈静後において其の処分に困っている溶岩活用が促進され、いわゆる健康枕の低コスト化を実現できる。
【実施例１】
【０００６】図１、図２において、ファスナーなど開閉手段２で開閉自在とした袋状枕カバー１の中に、布製の袋に直径約６ｍｍ程度の大きさに破砕した溶岩砕片４を充填した包装体３を収納する。
【実施例２】
【０００７】図１、図３において、ファスナーなど開閉手段２で開閉する袋状枕カバー１の中に、布製の袋に直径約６ｍｍ程度の大きさに破砕した溶岩砕片４に、そば殻や発泡ウレタンなどの緩衝材５を混ぜて充填した包装体を収納する。
【図面の簡単な説明】
【０００８】
【図１】本発明による健康枕の外観斜視図
【図２】本発明の実施例１による健康枕の断面図
【図３】本発明の実施例２による健康枕の断面図
【符号の説明】
【０００９】１  枕カバー
２  開閉手段
３  包装体
４  溶岩砕片
５  緩衝材
６  枕本体
【図１】
2007105428.tif 000003
【図２】
2007105428.tif 000004
【図３】
2007105428.tif 000005
(57)【要約】【課題】  今まで液体調味料を使用する時には、腰を曲げたり、体を伸ばしたり、台所の下部及び上部の棚から液体調味料を取り出し、戻したり、忙しい料理中には非常に不便な状況を改善することが課題である。【解決手段】  本発明は、複数の液体調味料入れ容器を有し、液体調味料入れ容器の下部に液体用コックを設け、コックを開閉の撮みを捻ると液体調味料が流出し、液体調味料容器の正面側に刻んでいる目盛りを見ながら出したい液体調味料の量はコックを開閉の撮みでコントロールし、撮みを元の位置に戻すと液体調味料の流出が止り、液体調味料容器の正面側にラベルがあり、ラベルには容器内の液体調味料名称を書くことが出来る。【選択図】      図１
2007105425.tif 000002
【特許請求の範囲】
【請求項１】
本発明は複数の液体調味料入れ容器を有し、液体調味料入れ容器を固定する台を設け、その台を台座とはめ込んだ一体物が台所の台面に置くことが出来、台座を外して調味料入れ容器を固定する台が螺子で壁に取り付ける事も出来、液体調味料入れ容器の最上部に盖を設け，蓋を開けて、液体調味料を補給することが出来て、液体調味料入れ容器の下部に液体用コックを設け、コックを開閉の撮みを捻ると液体調味料が流出し、撮みを元の位置に戻すと液体調味料の流出が止り、液体調味料入れ容器の正面側に刻んでいる目盛りを有し、液体調味料の流出量が一目で分り、コックの撮みを捻って流出量をコントロールが出来、液体調味料入れ容器の正面側にラベルを貼る個所が有り、ラベルには容器内の液体調味料名称を書くことが出来る液体調味料入れ容器を提供する。
【発明の詳細な説明】
【技術分野】
【０００１】  本発明は液体調味料入れ容器の技術分野である。
【背景技術】
【０００２】  液体調味料を入れる容器。
【発明の開示】
【発明が解決しようとする課題】
【０００３】  今まで液体調味料を使用する時には、腰を曲げたり、体を伸ばしたり、台所の下部及び上部の棚から液体調味料を取り出し、戻したり、忙しい料理中には非常に不便な事である。
【課題を解決するための手段】
【０００４】  本発明は、複数の液体調味料入れ容器を有し、液体調味料入れ容器の下部に液体用コックを設け、コックを開閉の撮みを捻ると液体調味料が流出し、液体調味料容器の正面側に刻んでいる目盛りを見ながら出したい液体調味料の量はコックを開閉の撮みでコントロールし、撮みを元の位置に戻すと液体調味料の流出が止り、液体調味料入れ容器の正面側にラベルがあり、ラベルには容器内の液体調味料名称を書くことが出来る。
【発明の効果】
【０００５】  本発明は、今までのように液体調味料を使用する時には、腰を曲げたり、体を伸ばしたり、台所の下部及び上部の棚から調味料を取り出し、戻したりする必要がなくなり、近くの液体調味料入れ容器の目盛りを見ながらコック開閉の撮みを捻って、液体調味料が流出し、液体調味料の必要量が流出したら、撮みを元の位置に戻すと液体調味料の流出が止る、忙しい料理中には最適である。
【発明を実施するための最良の形態】
【０００６】  以下に本発明にかかる実施の形態を基づいて詳細に説明する。
液体調味料入れ容器の図においては、２液体調味料入れ容器を固定する１台は８台座とはめ込んだ一体物が台所の台面に置く事もでき、８台座を外して２調味料入れ容器を固定する１台が壁に取り付ける９耳を設け、螺子で壁に固定することも出来、７ラベルには液体調味料入れ容器内の液体調味料の名称を書くことが出来て、３蓋を開けて液体調味料を入れ、４コックの撮み５を捻って、液体調味料が流出し、流出量は６目盛りを見ながら５撮みを元の位置に戻すと液体調味料の流出が止る。
【実施例】
【０００７】  本発明は、複数の液体調味料入れ容器を有し、液体調味料入れ容器の下部に液体用コックを設け、コックを開閉の撮みを捻ると液体調味料が流出し、液体調味料容器の正面側に刻んでいる目盛りを見ながら出したい液体調味料の量はコックを開閉の撮みでコントロールし、撮みを元の位置に戻すと液体調味料の流出が止り、液体調味料容器の正面側にラベルがあり、ラベルには容器内の液体調味料名称を書くことが出来る。
【図面の簡単な説明】
【０００８】
【図１】  本発明の実施形態を示す液体調味料入れ容器の平面図。
【図２】  本発明の実施形態を示す液体調味料入れ容器の平面図。
【符号の説明】
【０００９】１      台
２      液体調味料入れ容器
３      蓋
４      コック
５      開閉撮み
６      目盛り
７      ラベル
８      台座
９      耳
【図１】
2007105425.tif 000003
【図２】
2007105425.tif 000004
(57)【要約】【課題】従来の全自動洗濯機には、排水溝の詰まりによる排水の溢れおよび階下への漏水への対策が施されていなかった。そのため、万が一、排水溝が詰まった場合、全自動洗濯機から排水された水は、適切に排水されず、床に溢れ、また、床下へ漏れる。一方、操作者は、全自動洗濯機を監視することがないため、排水の溢れの発見が遅れ、階下への漏水の被害が大きくなるまで気がつかない可能性が高い。【解決手段】本発明では、漏水を感知するためのセンサーを排水口の近くに設置する。また、漏水時に排水を停止する機構を全自動洗濯機に装備する。そして、このセンサーが漏水を検知した場合に排水を停止する機構を働かせる。【選択図】    図１
2007105424.tif 000002
【特許請求の範囲】
【請求項１】
（イ）全自動洗濯機の排水時に床への水の溢れを感知する機構。（ロ）全自動洗濯機の排水を停止する機構。（ハ）上記（イ）および（ロ）の機構を連携させ漏水を防止する機構。
【請求項２】
従来の全自動洗濯機に追加的に装着可能な独立した請求項１の漏水を防止する機構。
【発明の詳細な説明】
【技術分野】
【０００１】本発明は、漏水を検知して排水を停止することにより全自動洗濯機をより安全に動作させるための機構に関する。
【背景技術】
【０００２】従来の全自動洗濯機は、操作者が洗濯の開始を指示するだけで、衣類の洗浄、すすぎ、脱水などの動作を自動的に切り替え、実行する。このため、操作者は、洗濯が完了するまで洗濯機の動作に注意をはらう必要がないため便利である。さらに最近では、起動タイマー、自動乾燥機能などを装備した全自動洗濯機も開発されている。これにより、操作者が全自動洗濯機を一切監視することなく洗濯が完了できるようになった。
【発明の開示】
【発明が解決しようとする課題】
【０００３】洗濯機は、衣類を洗浄し、すすぎ、脱水するために大量の水を使用し、また、排水する。そのため、万が一、排水溝が詰まった場合、全自動洗濯機から排水された水は、適切に排水されず、床に溢れ、また、床下へ漏れる。マンション、アパートなどの集合住宅では、この水は階下に浸水し、壁面、家具などを損傷する。従来の全自動洗濯機には、このような排水溝の詰まりによる排水の溢れおよび階下への漏水への対策が施されていなかった。一方、操作者は、全自動洗濯機を監視することがないため、排水の溢れの発見が遅れ、階下への漏水の被害が大きくなるまで気がつかない可能性が高い。
【課題を解決するための手段】
【０００４】本発明では、漏水を感知するためのセンサーを排水口の近くに設置する。また、漏水時に排水を停止する機構を全自動洗濯機に装備する。そして、このセンサーが漏水を検知した場合に排水を停止する機構を働かせる。
【発明の効果】
【０００４】本発明は、操作者の監視がない状況下で、漏水を自動的に発見し、かつ、全自動洗濯機からの排水を停止する。これにより、排水が床に溢れ、床下へ漏れ、そして、階下に浸水するといった一連の漏水事故による損失を最小限にとどめる。
【発明を実施するための最良の形態】
【０００５】本発明は、従来の全自動洗濯機の改良点として、新型の全自動洗濯機の機構の一部として機能させることが可能である。また、本発明は、現在利用されている全自動洗濯機に、独立した機構として追加的に装着することも可能である。
【産業上の利用可能性】
【０００６】マンション、アパートなど共同住宅における漏水事故は、階下に居住する住人の部屋の壁面、家具などを損傷する。このような漏水による被害は、完全な復旧が難しいため、その復旧費用は高額となることが多い。そのため、排水溝の詰まりが発生した際の漏水による損失を最小限にとどめることができる本発明は有用である。
【図面の簡単な説明】
【図１】本発明の機構を示した概要図である。「符号の説明」１は全自動洗濯機（排水を停止する機構を含む）２は排水ホース３は排水口４はセンサー
【図２】本発明の請求項２の機構を示した概要図である。「符号の説明」１は全自動洗濯機２は排水ホース３は排水口４はセンサー５は排水を停止する機構
【図３】本発明の機構を組み込みシステムで実現する場合の制御ロジックを示したフロー図である。「符号の説明」１は制御の開始２はセンサーの状態をチェックする３は漏水が発生しているか（判定）４は制御を継続する５は排水を停止する６は制御の終了
【図１】
2007105424.tif 000003
【図２】
2007105424.tif 000004
【図３】
2007105424.tif 000005
(57)【要約】【課題】食事時食器とスプーン等の不愉快な音を防止及び滑り防止、温度差に依る温度変化防止したスプーン等を提供する。【解決手段】本発明は、スプーン等の裏面に樹脂及びゴム類をコーティングし接触音、滑り及び温度差防止出来る事を特長とする食器である。【構成】スプーン等の裏面に樹脂及びゴム類をコーティングしたもの。【選択図】図１
2007105423.tif 000002
【特許請求の範囲】
【請求項１】
裏面に樹脂及びゴムをコーティング材を付着した部分から構成され防音、断熱、滑り防止を特徴とするスプーン及びフォーク。
【発明の詳細な説明】
【技術分野】
【０００１】本発明は、食事時、皿とスプーン等が当たり不愉快な音が出たり、滑り防止及び温度差に依る食品の温度変化の防止に関するものである。
【背景技術】
【０００２】食事中に皿とスプーン（フォーク）等が当たり音が発生する。
耳障りな音で気になり食事が不愉快になる。
食事している時、特に握力の弱い方等は滑り落ちたりもする又、少し傾斜したテーブル等での食事時は落ちたりしたりして困ったりする。温度差が有る食べ物を小皿に取り分けたりすると時は別の非鉄金属製の物を使用しなければならず困ったりもする。
【発明の開示】
【発明が解決しようとする課題】
【０００３】本発明は食事中の上記欠点を全面的に改良すべき観察研究により本考案を完成するに至った。本発明の主要目的は食事中の皿とスプーン及びフォークとの接触時のマナー違反の接触音の除去滑り防止、及び温度差の有る物の小分けに適合したスプーン等を提供する。
【課題を解決するための手段】
【０００４】本発明はスプーン（フォーク）の裏面に、樹脂及びゴム類を付着コヘティングさせることを特徴とする雑音、滑り、温度差防止を内容としている
【発明の効果】
【０００５】本発明に係わる裏面にあっては全面をコーティング（色は自由）することにより外観には変化無くマナーを守り、快適な食事が出来ることも一役担う事が出来る。
【発明を実施するための最良の形態】
【０００６】以下、本発明の実施の形態について説明する。
図１に示すように、本発明は本来のスプーンの裏を加工した物、１．樹脂及びゴム類コーティングされたもの。
【実施形態の効果】
【０００７】以上説明したように、本発明は上記のように構成されたことにより  接触音、滑り及び温度差防止が出来簡便で実用性に富む。
【図面の簡単な説明】
【０００８】
【図１】この発明の一実施形態を示す斜視図である。
【図２】器の上面図である。
【図３】器の裏面図である。
【符号の説明】
【０００９】１．樹脂及びゴム類
【図１】
2007105423.tif 000003
【図２】
2007105423.tif 000004
【図３】
2007105423.tif 000005
(57)【要約】【課題】  従来の剃刀は、刃の回転或いは刃のスライド運動で剃った細かい粉塵状の鬚が網外刃の内部から外側に吹き出して、人が呼吸する時、吸い込んで肺に入る悪状況を改善することが課題である。【解決手段】  本発明は電気剃刀の網外刃部分の網刃のない所、或いは本体に送風通路及び送風装置を設け、電気剃刀の網外刃と送風装置の間の送風通路間に集塵用フィルタを設け、送風装置が網外刃部分の網刃のない所の外側に、或いは網外刃の反対側の本体の送風通路に風を送る吸力が剃った細かい粉塵状の鬚を集塵用フィルタに集塵して、その集塵用フィルタ部分がワンタッチで取り外しが出来て、集塵用フィルタを掃除或いは交換が出来る構造である。【選択図】      図１
2007105426.tif 000002
【特許請求の範囲】
【請求項１】
本発明は電気剃刀の本体に送風通路及び送風装置を設け、送風装置の駆動電源は本体と接続し、電気剃刀の網外刃と送風装置の間の送風通路間に集塵用フィルタを設け、送風装置が網外刃の反対側の本体の送風通路に風を送る吸力が剃った細かい粉塵状の鬚を集塵用フィルタに集塵して、集塵用フィルタ部分がワンタッチで取り外しが出来て、集麈用フィルタを掃除或いは交換が出来る集塵構造を提供する。（図１）
【請求項２】
本発明は電気剃刀の網外刃部分の網刃のない所に送風通路及び送風装置を設け、送風装置の駆動電源は本体と接続し、電気剃刀の網外刃と送風装置の間の送風通路間に集塵用フィルタを設け、送風装置が網外刃部分の網刃のない所の外側に風を送る吸力が剃った細かい粉塵状の鬚を集塵用フィルタに集塵して、集塵用フィルタ部分がワンタッチで取り外しが出来て、集塵用フィルタを掃除或いは交換が出来る集塵構造を提供する。（図２）
【発明の詳細な説明】
【技術分野】
【０００１】  本発明は電気剃刀の技術分野である。
【背景技術】
【０００２】  従来の電気剃刀は、剃った鬚が網外刃の内側に貯めて、刃の回転或いはスライドの運動が剃った細かい粉塵状の鬚を網外刃の外側に吹き出している。
【発明の開示】
【発明が解決しようとする課題】
【０００３】  従来の剃刀は、刃の回転或いは刃のスライド運動で剃った細かい粉塵状の鬚が網外刃の内側から外側に吹き出して、人が呼吸する時、吸い込んで肺に入る悪状況を改善することが課題である。
【課題を解決するための手段】
【０００４】  本発明は電気剃刀の網外刃部分の網刃のない所、或いは本体に送風通路及び送風装置を設け、電気剃刀の網外刃と送風装置の間の送風通路間に集塵用フィルタ（以下フィルタという）を設け、送風装置が網外刃部分の網刃のない所の外側に、或いは網外刃の反対側の本体の送風通路に風を送る吸力が剃った細かい粉塵状の鬚をフィルタに集塵し、そのフィルタ部分がワンタッチで取り外しが出来て、フィルタを掃除或いは交換が出来る構造である。
【発明の効果】
【０００５】  本発明は、電気剃刀が剃った鬚を送風装置の風を送る吸力で吸い、フィルタで集塵し、剃った鬚を網外刃の外側に出ないようにフィルタ部に集塵する形態によって、肺に吸い込む恐れがなくなる効果が生じる。
【発明を実施するための最良の形態】
【０００６】  以下に本発明にかかる実施の形態を基づいて詳細に説明する。
電気剃刀の１網外刃部分の網刃のない所に、或いは反対側５本体に４送風通路を有し、３送風装置が４送風通路に設け、１網外刃と３送風装置の間に２フィルタを設け、３送風装置が１網外刃部分の網刃のない所の外側に、或いは１網外刃の反対側の５本体の４送風通路に風を送る吸力が剃った細かい粉塵状の鬚を２フィルタに集塵して、２フィルタ部分がワンタッチで取り外しが出来て、２フィルタを掃除或いは交換が出来る構造である。
【実施例】
【０００７】  本発明は電気剃刀の網外刃の網刃のない所に、或いは本体に送風通路及び送風装置を設け、電気剃刀の網外刃と送風装置の間の送風通路間にフィルタを設け、送風装置が網外刃部分の網刃のない所の外側に、或いは網外刃の反対側の本体の送風通路に風を送る吸力が剃った細かい粉麈状の鬚をフィルタに集塵して、そのフィルタ部分がワンタッチで取り外しが出来て、フィルタを掃除或いは交換が出来る構造であり、剃った細かい鬚を肺に吸い込む恐れがなくなる効果が生じる。
【図面の簡単な説明】
【０００８】
【図１】  本発明の実施形態を示す電気剃刀集塵構造の平面図（本体側に集塵構造）
【図２】  本発明の実施形態を示す電気剃刀集塵構造の平面図（網外刃側に集塵構造）
【符号の説明】
【０００９】      １      網外刃
２      集塵用フィルタ
３      送風装置
４      送風通路
５      本体
【図１】
2007105426.tif 000003
【図２】
2007105426.tif 000004
(57)【要約】      （修正有）【課題】介護保険の実施で老人ホームやデイサービスの施設があちこちにできているが、活動の一環として、マージャンや、囲碁を採用する所もある。しかし、これらのゲームはやっている本人には脳の活性化に繋がり良いかも知れないが、周囲の人間にとっては雑音の発生源でしかない。【解決手段】これらの遊具を作っている、材質をぶつかり合っても音を出さない物にする。【選択図】図１
2007105429.tif 000002
【特許請求の範囲】
【請求項１】
遊戯中に攪拌した時に互いにぶつかり合って騒音を発生しないような柔らかい材質で作った遊具。
【請求項２】
表面にその種類を表す図柄を指で触った時に判別できるような盛り上がる材料のインクで印刷した遊具。
【請求項３】
上記においてそれぞれの重量が従来のそれと等しくした遊具。
【発明の詳細な説明】
【技術分野】
【０００１】この発明はマージャンのパイや囲碁の碁石に関するものである。
【背景技術】
【０００２】マージャンを遊ぶ時、時々、パイをかき廻し、攪拌する。又、囲碁も碁石をつかむ時にその入れ物に手を入れてかき回す事が多い。そのどちらも騒音を発生し、周囲に迷惑を与える。そのため旅館や老人ホームでは、その遊び専用の部屋を用意する必要があった。
【発明が解決しようとするための課題】
【０００３】本、発明はこの欠点を取り除くものである。
【発明が解決しようとする手段】
【０００４】マージャンパイや囲碁の碁石を互いにぶつかり合っても音を発生しない材料で作る。
【発明を実施するための最良の形態】
【０００５】以下、本発明の実施の形態について説明する。（イ）図−１は本発明の構造図である。（ロ）マージャンパイ（１）及び碁石（２）の材料を従来のように硬くてぶつかり合うと      大きな音を発生する物からゴムをを用いることにより、騒音を発生しなくなる。（ハ）パイには１０種類の文字や、図柄がある。（ニ）又、碁石には白、黒の色分けが必要である。（ホ）よってこれらの材料に図柄の印刷や、色分けが可能なゴムを用いる。
【発明の効果】
【０００６】周囲が静かな場所でもゲームを楽しむことができる。
【図面の簡単な説明】
【０００７】
【図１】はマージャンパイのスケッチであり、
【図２】２は碁石のスケッチである。
【図１】
2007105429.tif 000003
【図２】
2007105429.tif 000004